(57)【特許請求の範囲】
【請求項１】
照明灯器具（１０）の熱を、外部に放出させるための多数個の放熱フィン（１３１）が形成される放熱板（１３０）と、
上記放熱板（１３０）に集熱される熱を、冷ますために上記放熱板（１３０）片側に挿入される放熱キャップ（２００）と、
上記放熱キャップ（２００）に連結され、熱を外部の上・下水道管（４１０）と連結されて熱を移動させるために具備されるヒートパイプ（２１０）と、
上記ヒートパイプ（２１０）の熱を、外部の上・下水道管（４１０）の一部を切断して上記ヒートパイプ（２１０）が連結されるように具備される熱伝導管（４００）と、
上記照明灯器具（１０）の熱を、外部で循環させるために具備される外装固定部（５００）と、を備えることを特徴とする照明灯器具用放熱装置。
【請求項２】
上記放熱板（１３０）は、反射板（１００）の外周面に具備されて集熱できるように具備されることを特徴とする請求項１記載の照明灯器具用放熱装置。
【請求項３】
上記放熱板（１３０）下面に、円形の第１固定板（１１０）が具備され、上記第１固定板（１１０）に、多数個の第１固定穴（１２０）が具備され、上記第１固定板（１１０）下面に、全面板（１４０）が具備されることを特徴とする請求項１記載の照明灯器具用放熱装置。
【請求項４】
上記放熱キャップ（２００）は、円形に形成され、上記放熱キャップ（２００）内部に放熱管（２２０）が具備され、上記放熱管（２２０）内部に、熱伝導物質（２１４）が具備されることを特徴とする請求項１記載の照明灯器具用放熱装置。
【請求項５】
上記ヒートパイプ（２１０）は、熱伝導物質（２１４）が具備され、上・下水道管（４１０）と放熱キャップ（２００）とに連結される内管（２１１）と、
上記内管（２１１）をかばい外部に保冷剤（２１３）が具備され、上記保冷剤（２１３）を具備する外管（２１２）で具備されることを特徴とする請求項１記載の照明灯器具用放熱装置。
【請求項６】
上記熱伝導管（４００）は、上・下水道管（４１０）がＰＶＣ又はＰＥ材質である場合、ヒートパイプ（２１０）に熱を伝導するために具備されることを特徴とする請求項１記載の照明灯器具用放熱装置。
【請求項７】
上記外装固定部（５００）には、上記照明灯器具（１０）を外部に固定するために下部に第２固定板（５１０）が具備され、上記第２固定板（５１０）には、多数個の第２固定穴（５１１）が具備され、上記第２固定板（５１０）上面に連結部材（５１３）が具備され、上記連結部材（５１３）上側には、外部付着面と結合できるよう付着板（５１２）が具備されることを特徴とする請求項１記載の照明灯器具用放熱装置。
【発明の詳細な説明】
【技術分野】
【０００１】
本発明は、照明灯器具用放熱装置に関するものであり、より詳細には家庭又は事務室で使用するＬＥＤ灯器具放熱板に、ナノ物質が充填されたヒートパイプと放熱キャップとを使用して建物の層間に具備される上下水道管及びボイラー水入口管に設置し、エネルギー消耗を減らすことによってＬＥＤ灯器具の放熱効果を極大化させるための照明灯器具用放熱装置に関するものである。
【背景技術】
【０００２】
現在、ＬＥＤ照明は、室内と室外又は事務用品、自動車等で多く使用されている。一般的に、ＬＥＤ照明灯は、多数個の放熱板が電球周りに形成され、ＬＥＤ照明等で発生される熱を自然循環で放出させる。
【０００３】
しかし、大部分のＬＥＤ照明は多数個の放熱板だけで発生する熱を下げることに限界がある。
【０００４】
上記の問題点を解決するために、（株）ＶＬシステムは下記特許文献１で、ヒートパイプを利用したＬＥＤ照明装置の放熱構造を提案している。上記の技術はＬＥＤ光源モジュールで発生した熱が直接ヒートパイプを通じて放熱板に伝導する方式であり、早く熱を放出させエネルギー効率を向上させ、寿命を延長させることのできる技術を提案している。
【先行技術文献】
【特許文献】
【０００５】
【特許文献１】韓国登録特許第１０−０９２２４３３号公報
【発明の概要】
【発明が解決しようとする課題】
【０００６】
しかしながら、上記の技術は、ヒートパイプを通じてＬＥＤ光源モジュールの熱を放熱板に早く伝導するだけであって、外部に放出させることは自然方式でありこの点において大きな効果は発生していない。
【０００７】
そこで、上記の問題点を解決するために、本発明は、ヒートパイプを外部の管と連結することで放熱を極大化させることを目的とする。
【課題を解決するための手段】
【０００８】
上記のような課題を解決するために、本発明は、建物の層と層の間で具備される上・下水道管にヒートパイプを利用して照明灯器具の放熱板に連結させることによって照明灯器具から発生する熱を効果的に下げることができる。
【０００９】
また、本発明は、上・下水道管にヒートパイプを連結することによって照明灯器具から発生される熱で冬に凍って破裂する事故を予防することができる。
【００１０】
また、本発明は、放熱キャップが具備されて放熱板と直接的に連結され、放熱効果を極大化させることができる。
【００１１】
また、本発明は、ヒートパイプと放熱キャップとに熱伝導率の高いナノ物質を充填し、熱伝導率を高めることができる。
【００１２】
加えて、本発明は、既存の灯器具とＬＥＤ器具に使用して灯器具の寿命を延長させることで、維持費用を減らすことができる。
【００１３】
すなわち、上記課題を解決する本発明の一観点に係る照明灯器具用放熱装置は、照明灯器具（１０）の熱を外部に放出させるため多数個の放熱フィン（１３１）が形成される放熱板（１３０）と、上記放熱板（１３０）に集熱される熱を冷ますため上記放熱板（１３０）片側に挿入される放熱キャップ（２００）と、上記放熱キャップ（２００）に連結されて熱を外部の上・下水道管（４１０）と連結されて熱を移動させるため具備されるヒートパイプ（２１０）と、上記ヒートパイプ（２１０）の熱を外部の上・下水道管（４１０）の一部を切断して上記ヒートパイプ（２１０）が連結されるよう具備される熱伝導管（４００）と、上記照明灯器具の熱を外部で循環させるため具備される外装固定部（５００）と、を具備したことを特徴とする。
【００１４】
また、本観点において、限定されるわけではないが、上記放熱板（１３０）は反射板（１００）の外周面に具備され集熱されるよう具備されることが好ましい。
【００１５】
また、本観点において、限定されるわけではないが、上記放熱板（１３０）下面に円形の第１固定板（１１０）が具備され、上記第１固定板（１１０）に多数個の第１固定穴（１２０）が具備され、上記第１固定板（１１０）下面に全面板（１４０）が具備されることが好ましい。
【００１６】
また、本観点において、限定されるわけではないが上記放熱キャップ（２００）が円形で形成され、上記放熱キャップ（２００）内部に放熱管（２２０）が具備され、上記放熱管（２２０）内部に熱伝導物質（２１４）が具備されることが好ましい。
【００１７】
また、本観点において、限定されるわけではないが上記ヒートパイプ（２１０）は熱伝導物質（２１４）が具備され、上・下水道管（４１０）と放熱キャップ（２００）に連結される内管（２１１）及び上記内管（２１１）をかばい外部に保冷剤（２１３）が具備され、上記保冷剤（２１３）を具備する外管（２１２）で具備されることが好ましい。
【００１８】
また、本観点において、限定されるわけではないが上記熱伝導管（４００）は上・下水道管（４１０）がＰＶＣ又はＰＥ材質である場合ヒートパイプ（２１０）に熱を伝導させるため具備されることが好ましい。
【００１９】
また、本観点において、限定されるわけではないが上記外装固定部（５００）は上記照明灯器具（１０）を外部に固定するため下部に第２固定板（５１０）が具備され、上記第２固定板（５１０）に多数個の第２固定穴（５１１）が具備され、上記第２固定板（５１０）上面に連結部材（５１３）が具備され、上記連結部材（５１３）上側に外部付着面と結合できるよう付着板（５１２）が具備されることが好ましい。
【発明の効果】
【００２０】
上記のような本発明によると、建物の層と層の間に具備される上・下水道管に、ヒートパイプを利用しての照明灯器具の放熱板に連結することで放熱を効果的に下げる効果を提供することができる。
【００２１】
また、本発明が上・下水道管にヒートパイプを連結することで、照明灯器具から発生される熱によって冬に凍って破裂する事故を予防する効果を提供することができる。
【００２２】
また、本発明は、放熱キャップが具備され、放熱板から発生する熱を直接的に熱放出させることで、放熱効果を極大化する効果を提供することができる。
【００２３】
加えて、本発明は、ヒートパイプと放熱キャップを利用して灯器具の寿命を延長させることで、維持費用を減らす効果を提供することができる。
【図面の簡単な説明】
【００２４】
【図１】図１は、本発明の照明灯器具用放熱装置に関する斜視図である。
【図２】図２は、本発明の照明灯器具用放熱装置に関する熱伝導物質状態図である。
【図３】図３は、本発明の照明灯器具用放熱装置に関する分解図である。
【図４】図４は、本発明の照明灯器具用放熱装置に関するヒートパイプ断面図である。
【図５】図５は、本発明の照明灯器具用放熱装置に関する実施図である。
【図６】図６は、本発明の照明灯器具用放熱装置に関する実施図である。
【図７】図７は、本発明の照明灯器具用放熱装置に関する外装付着実施図である。
【発明を実施するための最良の形態】
【００２５】
以下、添付した図面及び望ましい実施例によって、本発明を詳細に説明する。
【００２６】
図１は、本発明の照明灯器具用放熱装置に関する斜視図であり、図２は、本発明の熱伝導物質の状態図を表したものであり、図３は斜視図に関する分解図を表しており、図４は、本発明のヒートパイプに関する断面図を表しており、図５と図６、図７は、本発明の実施図を表したものである。
【００２７】
本発明の照明灯器具（１０）は、多く放熱するための放熱板（１３０）と、上記放熱板（１３０）の熱を下げるための放熱キャップ（２００）と、ヒートパイプ（２１０）及び上・下水道管（４１０）と連結するための熱伝導管（４００）とが具備され、上記照明灯器具（１０）を埋込みでなく外装させるために、外装固定部（５００）が具備されている。
【００２８】
図１乃至図４に図示されているように、本発明の照明灯器具用放熱装置は、照明灯器具（１０）の熱を、外部に放出させるために多数個の放熱フィン（１３１）が形成される放熱板（１３０）と、上記放熱板（１３０）に集熱される熱を冷ますために上記放熱板（１３０）片側に挿入される放熱キャップ（２００）と、上記放熱キャップ（２００）に連結されて熱を外部の上・下水道管（４１０）と連結されて熱を移動させるため具備されるヒートパイプ（２１０）と、上記ヒートパイプ（２１０）の熱を外部の上・下水道管（４１０）の一部を切断して上記ヒートパイプ（２１０）が連結されるように具備される熱伝導管（４００）と、上記照明灯器具の熱を外部で循環させるために具備される外装固定部（５００）と、を具備したことを特徴とする。
【００２９】
図１乃至図７で、照明用器具（１０）は、熱を外部に放出するためであり、多数個の放熱フィン（１３１）が具備される放熱板（１３０）で構成される。
【００３０】
上記放熱板（１３０）は、伝導率が高いアルミニウム材質を使用することによって形成されることが好ましい。
【００３１】
上記放熱板（１３０）内部に反射板（１００）が具備され、反射板（１００）を通じて発生される熱が、外周面に具備される放熱板（１３０）に伝導されるものである。
【００３２】
このとき、発生される熱を、外部に自然放出させることと同時に外部冷媒を通じて放熱の効果を極大化させるために二重に形成される熱伝導物質（２１４）が充填されるヒートパイプ（２１０）と、放熱板（１３０）上側に挿入される放熱キャップ（２００）とが具備される。
【００３３】
二重管に形成されるヒートパイプ（２１０）と放熱キャップ（２００）とは、材質が熱伝導率の優れている銅管を使用するもので形成されることが好ましい。
【００３４】
本発明の照明灯器具（１０）の放熱板（１３０）下面には、円形の第１固定板（１１０）が具備され、上記第１固定板（１１０）には、多数個の第１固定穴（１２０）が形成される。
【００３５】
上記第１固定穴（１２０）は、照明灯（１０）を埋込ませ天井にボルトで固定するために具備される。
【００３６】
上記照明灯器具（１０）の反射板（１００）内部にはＬＥＤ電球（２０）が具備され、上記ＬＥＤ電球（２０）の光を外部に鮮明に反射するため反射板（１００）がかばよう又は覆うように具備される。
【００３７】
本発明照明灯器具（１０）の熱は、反射板（１００）と放熱板（１３０）に直接的に伝導されるよう具備される。
【００３８】
また、上記照明灯器具（１０）下面に、全面板（１４０）が付着されＬＥＤ電球（２０）を外部から保護できるように構成される。
【００３９】
上記放熱板（１３０）上部に挿入される放熱キャップ（２００）は、上記放熱板（１３０）のような円形に形成され、上記放熱キャップ（２００）内部に熱伝導物質（２１４）が具備されるように放熱管（２２０）が形成されている。
【００４０】
また、上記放熱キャップ（２００）外周面片側にヒートパイプ（２１０）が、結合（３００）を通じて具備され、上記ヒートパイプ（２１０）は、二重に形成されている。
【００４１】
上記ヒートパイプ（２１０）は、内管（２１１）と外管（２１２）に具備され、熱伝導物質（２１４）が充填される内管（２１１）と熱伝導物質（２１４）を通じて伝わる冷気が外部に放出できないようにする外管（２１２）が具備され、上記内管（２１１）と外管（２１４）の間に保冷剤（２１３）が具備されて形成される。
【００４２】
上記ヒートパイプ（２１０）は外部の上・下水道管（４１０）又はボイラー水入口管に連結される。
【００４３】
このため、上記上下水道管（４１０）とボイラー水入出管内に流れる水の冷気を熱伝導物質（２１４）が充填されたヒートパイプ（２１０）に沿って放熱キャップ（２００）に移動させることができる。
【００４４】
上記放熱キャップ（２００）に移動される冷気は、放熱キャップ（２００）下部に具備される放熱板（１３０）の熱を下げるものであり、自然的に放熱される放熱板（１３０）の放熱効果を極大化させることができる。
【００４５】
また、ＰＶＣ又はＰＥ材質で形成された上下水道管（４１０）及びボイラー水入出管は、管を切断してアルミニウム材質又は銅で形成された管を結合した後、上記熱伝導管（４００）にヒートパイプ（２１０）を連結することで、熱伝導管（４００）に伝わる冷気を放熱キャップ（２００）まで移動させることができる。
【００４６】
また、本発明の照明灯器具（１０）は、埋込み型以外にも外装型として室内又は室外で使用するよう構成し、外装固定部（５００）を具備したことで室外でも使用が可能となるようにしてもよい。
【００４７】
また、冬に凍って破裂する事故及びボイラー入出管を通じたエネルギー減少が顕著である埋込み型と異なり、外装固定部（５００）を使用して工場又は講堂に設置される場合、自然的に放熱される効果と放熱キャップ（２００）を使用することで放熱効率を極大化させるようにしてもよい。
【００４８】
上記外装固定部（５００）の構成は、図７で示すように、照明灯器具（１０）を外部に固定するためのものであり、下部に第２固定板（５１０）が具備され、上記第２固定板（５１０）に多数個の第２固定穴（５１１）が形成され第２固定板（５１０）が、第１固定板（１１０）に結合できるように具備されている。
【００４９】
上記第２固定板（５１０）上面には照明用器具（１０）の高さに応じた連結部材（５１３）が具備され、上記連結部材（５１３）上側に外部付着面とボルト、又は接着剤を通じて付着できる付着板（５１２）が具備されている。
【００５０】
上記外装固定部（５００）は、軽くて腐食されないアルミニウム又はステンレス材質で形成されることが好ましい。
【００５１】
上記は本発明の構成の特徴と結合関係を説明したものであり、ここで図２と図５、図６を参考にして放熱の流れを詳細に説明する。
【００５２】
本発明は、二重管で形成されたヒートパイプ（２１０）と放熱キャップ（２００）で使用し、外部に具備される上下水道管（４１０）及びボイラー水入口管に連結して外部の冷気を放熱板（１３０）に伝えることによって放熱効果を極大化させることができる。
【００５３】
上記図面で示すように、上下水道管（４１０）に流れる水の冷気が、ヒートパイプ（２１０）に伝わり、上記ヒートパイプ（２１０）に伝えられた冷気は放熱キャップ（２００）に伝えられる。
【００５４】
上記上下水道管（４１０）の冷気は、ヒートパイプ（２１０）と放熱キャップ（２００）内部に充填される熱伝導物質（２１４）により移動される。
【００５５】
従って、自然的に放熱される放熱板（１３０）の効果を、ヒートパイプ（２１０）と放熱キャップ（２００）を通じてエネルギー消耗を減らし、ＬＥＤ電球（２０）の寿命を延長させることができる。
【００５６】
なお本発明は、上記で言及したように望ましい実施例に関連して説明されたが、本発明の要旨を外れることのない範囲内で、多様な修正及び変形が可能である。従って、本発明の特許請求の範囲は、発明の真正な範囲内において修正及び変形を許容するものである。
【符号の説明】
【００５７】
１０：照明灯器具
２０：ＬＥＤ電球
１００：反射板
１１０：第１固定板
１２０：第１固定穴
１３０：放熱板
１３１：放熱ピン
１４０：全面板
２００：放熱キャップ
２１０：ヒートパイプ
２１１：内管
２１２：外管
２１３：保冷剤
２１４：熱伝導物質
２２０：放熱管
３００：結合部材
４００：熱伝導管
４１０：上下水道管
５００：外装固定部
５１０：第２固定板
５１１：第２固定穴
５１２：付着板
５１３：連結部材
【図１】
0005379294.tif 000002
【図２】
0005379294.tif 000003
【図３】
0005379294.tif 000004
【図４】
0005379294.tif 000005
【図５】
0005379294.tif 000006
【図６】
0005379294.tif 000007
【図７】
0005379294.tif 000008